(57)【要約】      （修正有）【課題】結像光学素子を構成する遮光部材の貫通孔への塵埃の侵入を効果的に防止して高品質な物体の正立等倍像を形成する。【解決手段】レンズを有するレンズアレイ５１ａ〜５１ｃを積層配置し、原稿ＯＢ（物体）で反射した光を結像して原稿ＯＢの正立等倍像を形成する結像光学系５１と、光を通過させる第１貫通孔を有する第１遮光部材５２とを備え、原稿ＯＢに最も近い位置に配置された結像光学系５１の第１レンズアレイ５１ａは、第１レンズアレイ５１のレンズから出射される光が第１貫通孔に入射されるように、遮光部材５２の物体側に配置されて第１貫通孔を覆う。【選択図】図２
2013025019.tif 000002
【特許請求の範囲】
【請求項１】
レンズを有するレンズアレイを１枚配置または複数枚積層配置し、物体で反射した光または前記物体を透過した光を結像して前記物体の正立等倍像を形成する結像光学系と、
光を通過させる第１貫通孔を有する第１遮光部材とを備え、
前記物体に最も近い位置に配置された前記結像光学系の第１レンズアレイは、前記第１レンズアレイのレンズから出射される光が前記第１貫通孔に入射されるように、前記第１遮光部材の物体側に配置されて前記第１貫通孔を覆うことを特徴とする結像光学素子。
【請求項２】
前記結像光学系が前記第１レンズアレイを含めＮ（Ｎ≧３の自然数）枚以上のレンズアレイで構成される請求項１に記載の結像光学素子であって、
前記物体から最も離れた位置に配置されるＮレンズアレイの物体側に配置される、第（Ｎ−１）レンズアレイのレンズから出射される光を通過させる第２貫通孔を有し、前記第（Ｎ−１）レンズアレイのレンズから出射される光が前記第２貫通孔に入射されるように、前記第（Ｎ−１）レンズアレイの物体側と反対の側に配置される第２遮光部材を備え、
前記Ｎレンズアレイは、前記第２貫通孔を通過する光が前記第Ｎレンズアレイのレンズに入射されるように、前記第２遮光部材の物体側と反対の側に配置されて前記第２貫通孔を覆う結像光学素子。
【請求項３】
前記結像光学系が前記第１レンズアレイと第２レンズアレイとの２枚のレンズアレイで構成される請求項１に記載の結像光学系であって、
前記第２レンズアレイは、前記第１貫通孔を通過する光が前記第２レンズアレイのレンズに入射されるように、前記第１遮光部材の物体側と反対の側に配置されて前記第１貫通孔を覆う結像光学素子。
【請求項４】
前記第１レンズアレイのレンズの前記物体と対向する面に対し、防塵処理が施されている請求項１ないし３のいずれか一項に記載の結像光学素子。
【請求項５】
前記結像光学系を構成する複数のレンズアレイのうち前記物体から最も離れた位置に配置されるレンズアレイのレンズの物体側と反対の側の面に対し、防塵処理が施されている請求項２ないし４のいずれか一項に記載の結像光学素子。
【請求項６】
物体に光を照射する光源部と、
請求項１ないし５のいずれか一項に記載の結像光学素子と、
前記結像光学素子により結像される正立等倍像を読み取る読取部と
を備えることを特徴とする画像読取装置。
【発明の詳細な説明】
【技術分野】
【０００１】
この発明は、原稿などの物体で反射した光または物体を透過した光を結像して正立等倍像を形成する結像光学素子および当該結像光学素子を用いた画像読取装置に関するものである。
【背景技術】
【０００２】
この種の結像光学素子の一例として、例えば特許文献１に記載されたように、レンズを有するレンズアレイと、貫通孔を有する遮光部材とを組み合わせたレンズアレイユニットが知られている。また、このレンズアレイユニットを用いた画像読取装置が上記特許文献１に記載されている。すなわち、この画像読取装置では、原稿から反射された光をレンズにより正立等倍で結像するとともに、当該レンズにより結像された光を受光素子によって受光する。そして、遮光部材を設けることで複数のレンズ間における光のクロストークを適切に防止している。その結果、受光素子で読み取られる画像をより鮮明にすることができる。
【先行技術文献】
【特許文献】
【０００３】
【特許文献１】特許第４２７１８４１号公報（図１）
【発明の概要】
【発明が解決しようとする課題】
【０００４】
しかしながら、特許文献１の画像読取装置では、レンズアレイユニット（結像光学素子）の最上部は貫通孔を有する遮光部材であるため、貫通孔に塵埃が侵入することがある。そのため、貫通孔内に塵埃が滞留すると、受光素子などの読取部に結像される正立等倍像の画像劣化が発生することがあった。
【０００５】
この発明にかかるいくつかの態様は、結像光学素子を構成する遮光部材の貫通孔への塵埃の侵入を効果的に防止して高品質な物体の正立等倍像を形成することができる技術を提供することを目的とする。
【課題を解決するための手段】
【０００６】
本発明の第１の態様は、結像光学素子であって、レンズを有するレンズアレイを１枚配置または複数枚積層配置し、物体で反射した光または物体を透過した光を結像して物体の正立等倍像を形成する結像光学系と、光を通過させる第１貫通孔を有する第１遮光部材とを備え、物体に最も近い位置に配置された結像光学系の第１レンズアレイは、第１レンズアレイのレンズから出射される光が第１貫通孔に入射されるように、第１遮光部材の物体側に配置されて第１貫通孔を覆うことを特徴としている。
【０００７】
また、本発明の第２の態様は、画像読取装置であって、物体に光を照射する光源部と、この発明にかかる結像光学素子と、結像光学素子により結像される正立像を読み取る読取部とを備えることを特徴としている。
【０００８】
このように構成された発明（結像光学素子および画像読取装置）では、第１レンズアレイが第１遮光部材の物体側に配置されて第１遮光部材の第１貫通孔を覆う。このように結像光学素子を構成する構成要素のうち第１レンズアレイが最も物体側に位置しており、第１貫通孔への塵埃の侵入を阻止する。その結果、従来技術において問題となっていた第１貫通孔内への塵埃の滞留が解消され、高品質な物体の正立等倍像を形成することが可能となっている。なお、「物体に最も近い位置に配置された結像光学系の第１レンズアレイ」とは、結像光学系を構成するレンズアレイのうち最も物体側に配置されたレンズアレイを意味しており、１枚のレンズアレイにより結像光学系を構成した場合には当該レンズアレイがこれに相当し、複数枚のレンズアレイにより結像光学系を構成した場合には最も物体側に位置するレンズアレイがこれに相当する。
【０００９】
ここで、結像光学系を構成するレンズアレイの構成枚数が２枚、あるいは３枚以上である場合には、次のように構成してもよい。例えば、結像光学系が第１レンズアレイと第２レンズアレイとの２枚のレンズアレイで構成される場合、第２レンズアレイが、第１貫通孔を通過する光が第２レンズアレイのレンズに入射されるように、第１遮光部材の物体側と反対の側に配置されて第１貫通孔を覆うように構成してもよい。これにより、第１遮光部材の貫通孔の物体側と反対の側が第２レンズアレイで覆われて第１貫通孔への塵埃の侵入が阻止され、より高品質な物体の正立等倍像を形成することが可能となる。
【００１０】
また、上記第１レンズアレイを含めＮ（Ｎ≧３の自然数）枚以上である場合、上記したように結像光学素子の入射側に第１遮光部材を設けるだけでなく、結像光学素子の出射側にも別の遮光部材、つまり第２遮光部材を設けて画質の向上を図ることが可能である。ただし、結像光学素子のうち第２遮光部材が最も物体から離れた位置に配置されると、第２遮光部材の第２貫通孔に塵埃が侵入することがあり、これが正立等倍像の画像劣化を引き起こす要因となることから、第２遮光部材および第Ｎレンズアレイについては、それぞれ次のように配置するのが望ましい。すなわち、第２遮光部材については、第（Ｎ−１）レンズアレイのレンズから出射される光が第２貫通孔に入射されるように、第（Ｎ−１）レンズアレイの物体側と反対の側に配置する。さらに、第２貫通孔を通過する光が第Ｎレンズアレイのレンズに入射されるように、第２遮光部材の物体側と反対の側に第Ｎレンズアレイを配置し、この第Ｎレンズアレイで第２貫通孔を覆うことで第２貫通孔への塵埃の侵入が阻止され、より高品質な物体の正立等倍像を形成することが可能となる。
【００１１】
また、結像光学系のレンズアレイの構成枚数にかかわらず、第１レンズアレイは結像光学素子のうち最も物体に近い位置に配置され、第１レンズアレイのレンズの物体と対向する面が結像光学素子の最外部となり、この面に塵埃が付着して残存してしまうと、正立等倍像の画像劣化を招くおそれがある。したがって、この面に塵埃が残存するのを防止するために、この面に対して防塵処理を施しておくのが望ましい。
【００１２】
また、結像光学系を複数枚のレンズアレイで構成する場合、それらのうち物体から最も離れた位置に配置されるレンズアレイのレンズの物体側と反対の側の面も、結像光学素子の最外部となり、この面に塵埃が付着して残存してしまうと、正立等倍像の画像劣化を招くおそれがある。したがって、この面に塵埃が残存するのを防止するために、この面に対して防塵処理を施しておくのが望ましい。なお、結像光学系を２枚のレンズアレイで構成する場合には、第２レンズアレイが「物体から最も離れた位置に配置されるレンズアレイ」に相当し、結像光学系をＮ枚のレンズアレイで構成する場合には、第Ｎレンズアレイが「物体から最も離れた位置に配置されるレンズアレイ」に相当する。
【図面の簡単な説明】
【００１３】
【図１】本発明にかかる画像読取装置の第１実施形態を示す部分側面図。
【図２】図１のＣＩＳモジュールの概略構成を示す部分断面図。
【図３】結像光学素子の部分組立斜視図。
【図４】結像光学素子の構成を示す組立断面図。
【図５】本発明にかかる画像読取装置の第２実施形態を示す図。
【発明を実施するための形態】
【００１４】
図１は、本発明にかかる画像読取装置の一実施形態であるＣＩＳ(Contact Image Sensor)モジュール（以下、「ＣＩＳモジュール」と略称する）の概略構成を示す部分側面図である。図２は、図１のＣＩＳモジュールの概略構成を示す部分断面図である。これら図１、図２および以下で説明する図では、各部材の位置関係を示すために、ＸＹＺ直交座標を適宜示すものとする。このＣＩＳモジュール１は、原稿ガラスＧＬ上に載置された原稿ＯＢを読み取り対象物（本発明の「物体」に相当）として原稿ＯＢに印刷された画像を読み取る装置であり、原稿ガラスＧＬの直下に配置されている。ＣＩＳモジュール１は、Ｘ方向における最大読取範囲より長く延びる略直方体状のフレーム２を有しており、同フレーム２内に光源部３、結像光学素子５、受光センサーで構成された読取部７およびプリント回路基板８が配置されている。
【００１５】
光源部３は、図示を省略するＬＥＤ(Light Emitting Diode)を光源としている。このＬＥＤはライトガイド３１のＸ方向の一方端に取り付けられており、ライトガイド３１の当該一方端に向けて照明光を射出する。このライトガイド３１は、最大読取範囲と略同じ長さだけＸ方向に延設されている。そして、照明光はライトガイド３１の一方端に入射すると、ライトガイド３１の他方端に向けてライトガイド３１中を伝播しながら、ライトガイド３１の各部で部分的に先端部３２(光出射面)を介して原稿ガラスＧＬに向けて射出して、原稿ガラスＧＬ上の原稿ＯＢに照射される。こうして、Ｘ方向に延びる帯状の照明光が原稿ＯＢに照射され、原稿ＯＢで反射される。
【００１６】
照明光の照射位置の直下には結像光学素子５が配置されている。この結像光学素子５は、３枚のレンズアレイ５１ａ〜５１ｃをＺ方向（本実施形態では鉛直方向）に積層配置して構成された結像光学系５１と、２枚の遮光部材５２、５３とで構成されている。以下、図１ないし図４を参照しつつ結像光学素子５の構成について詳述する。
【００１７】
図３は結像光学素子の構成を示す組立分解斜視図であり、図４は結像光学素子の構成を示す組立分解断面図である。結像光学系５１を構成する３枚のレンズアレイのうち物体（原稿ＯＢ）側のレンズアレイ５１ａでは、原稿ＯＢからの光を透過させる光透過性材料で形成された透明平板５１１の両主面のうち物体側主面は平面のまま原稿ＯＢと平行に対面し、物体側と反対の側の主面（図中の下方を向いた面）に対し、上記光を透過させる透過性樹脂でレンズ面ＬＳ１が設けられている。このように、本実施形態では、レンズ面ＬＳ１が読取部側に突き出した平凸レンズ５１２が形成されている。また、このように構成されるレンズ５１２は図３に示すようにＸ方向に複数個一列配置されている。なお、レンズアレイ５１ａを製造するにあたっては、透明平板５１１に対してレンズ面ＬＳ１を形成してもよいし、透明平板５１１とレンズ面ＬＳ１とを一体的に樹脂成形することでレンズアレイ５１ａを製造してもよく、従来より周知の製造技術を用いることができる。このようなレンズアレイの製造方法については、次に説明するレンズアレイ５１ｂ、５１ｃについても同様である。
【００１８】
レンズアレイ５１ｂでは、上記透明平板５１１の両主面に対し、上記透過性樹脂でレンズ面ＬＳ２、ＬＳ３がそれぞれ設けられている。本実施形態では、レンズ面ＬＳ１、ＬＳ２はそれぞれ物体（原稿）側および読取部側に突き出ており、両凸レンズ５１２が形成されている。また、このように構成される両凸レンズ５１２は図３に示すようにＸ方向に複数個一列配置されている。
【００１９】
また、レンズアレイ５１ｃでは、透明平板５１１の両主面のうち物体側（つまり、読取部側と反対の側）の主面（図中の上方を向いた面）に対し、上記透過性樹脂でレンズ面ＬＳ４が設けられている。このように、本実施形態では、レンズ面ＬＳ４が物体側に突き出した、平凸レンズ５１２が形成されている。また、このように構成されるレンズ５１２は図３に示すようにＸ方向に複数個一列配置されている。
【００２０】
そして、レンズアレイ５１ａに装備されるレンズ５１２毎に、レンズアレイ５１ｂに装備されるレンズ５１２が１個ずつ鉛直方向Ｚの下方側に離間して配置され、さらにレンズアレイ５１ｂに装備されるレンズ５１２毎に、レンズアレイ５１ｃに装備されるレンズ５１２が１個ずつ鉛直方向Ｚの下方側に離間して配置されて結像光学系５１が形成されており、原稿ＯＢの正立像を等倍の結像倍率で読取部７の画像読取面（図示省略）に結像する。このように、本実施形態では、レンズ構成枚数Ｎは「３」であり、レンズアレイ５１ａ〜５１ｃはそれぞれ本発明の「第１レンズアレイ」、「第（Ｎ−１）レンズアレイ」、「第Ｎレンズアレイ」に相当している。
【００２１】
また、レンズアレイ５１ａ、５１ｂの間、およびレンズアレイ５１ｂ、５１ｃの間に、遮光部材５２、５３がそれぞれ配置されている。これらの遮光部材５２、５３は、ＹＺ平面において略Ｈ字状断面を有しながらＸ方向に延設された形状を有しており、原稿ＯＢからの光を遮光する材料で構成されている。また、各遮光部材５２、５３の中央部には、各レンズアレイ５１ａ〜５１ｃに設けられたレンズ５１２のレンズピッチと同一ピッチで各レンズアレイ５１ａ〜５１ｃのレンズ５１２と同数の貫通孔５２ａ、５３ａがそれぞれＸ方向に一列で形成されている。
【００２２】
これらのうち遮光部材５２はレンズアレイ５１ａ、５１ｂの間に配置されており、本発明の「第１遮光部材」に相当する。より詳しくは、遮光部材５２は、レンズアレイ５１ａに装備されるレンズ５１２毎に遮光部材５２の貫通孔５２ａが１個ずつ鉛直方向Ｚの下方側に位置するように、レンズアレイ５１ａの物体側と反対の側（つまり、読取部側）に配置されている。これによって、原稿ＯＢで反射した光はレンズアレイ５１ａのレンズ５１２を介して貫通孔５２ａに入射される。そして、各貫通孔５２ａは入射した光をレンズアレイ５１ｂのレンズ５１２に導光する。
【００２３】
もう１つの遮光部材５３はレンズアレイ５１ｂ、５１ｃの間に配置されており、本発明の「第２遮光部材」に相当する。より詳しくは、遮光部材５３は、レンズアレイ５１ｂに装備されるレンズ５１２毎に遮光部材５３の貫通孔５３ａが１個ずつ鉛直方向Ｚの下方側に位置するように、レンズアレイ５１ｂの物体側と反対の側（つまり、読取部側）に配置されている。これによって、レンズアレイ５１ｂのレンズ５１２から出射する光は貫通孔５３ａに入射される。そして、各貫通孔５３ａは入射した光をレンズアレイ５１ｃのレンズ５１２に導光する。
【００２４】
このように本実施形態では、レンズアレイ５１ａのレンズ毎に、貫通孔５２ａ、レンズアレイ５１ｂのレンズ５１２、貫通孔５３ａ、レンズアレイ５１ｃのレンズ５１２が１つずつ鉛直方向Ｚにこの順序で配列されており、このような配列構造がＸ方向に所定ピッチで設けられて原稿ＯＢの正立等倍像を読取部７の画像読取面に結像する。このため、Ｘ方向に隣接するレンズ５１２の間でのクロストークを防止して高品質な正立等倍像を形成することができる。
【００２５】
しかも、本実施形態では、図４に示すように、遮光部材５２の物体側の主面に対し、レンズアレイ５１ａの透明平板５１１の厚みと同じ深さの段差部５２ｂが設けられている。そして、図２に示すように、遮光部材５２の物体側の段差部５２ｂにレンズアレイ５１ａの透明平板５１１をすっぽりと嵌入して遮光部材５２の物体側端部の上面と、レンズアレイ５１ａの物体側平面、つまり平凸レンズ５１２の平面５１ａｓとが面一となるように構成している。また、本実施形態では、レンズアレイ５１ａの平凸レンズ５１２の平面５１ａｓに対し、防塵処理を施して塵埃が当該平面５５Ｓに付着するのを防止している。
【００２６】
ここで、「防塵処理」としては、例えば分子の末端官能基がＣＦ３のシランカップリング剤（有機ケイ素化合物）を表面処理剤として用いて平面５１ａｓにフッ素をコーティングしてもよく、これによって平面５１ａｓの表面自由エネルギーが下がり、平面５５Ｓへの塵埃の付着を効果的に防止することが可能となる。また、別の「防塵処理」として、平面５１ａｓに微細な凹凸形状を付与してもよく、その凹凸によりファンデルワールス力を低下させて塵埃の付着を防止することができる。また、さらに別の「防塵処理」として、ＩＴＯ（Indium Tin Oxide：酸化インジウムスズ）膜や吸水性材料の膜を平面５５Ｓ上に成膜することで平面５１ａｓの表面抵抗を１０１３［Ω／ｓｑ］以下に低下させてもよく、これによって塵埃の付着を効果的に防止することが可能となる。
【００２７】
また、遮光部材５３の読取部側の主面に対しても、遮光部材５２の物体側の主面と同様に、レンズアレイ５１ｃが配置されるとともに、そのレンズアレイ５１ｃの平凸レンズ５１２の平面５１ｃｓに対して防塵処理が施されている。すなわち、図４に示すように遮光部材５３の読取部側の主面に対し、レンズアレイ５１ｃの透明平板５１１の厚みと同じ深さの段差部５４ｂが設けられている。そして、図２に示すように、遮光部材５３の読取部側の段差部５４ｂにレンズアレイ５１ｃの透明平板５１１をすっぽりと嵌入して遮光部材５３の読取部側端部の下面と、レンズアレイ５１ｃの読取部側の平面、つまり平凸レンズ５１２の平面５１ｃｓとが面一となるように構成している。
【００２８】
以上のように、本実施形態では、レンズアレイ５１ａを遮光部材５２の物体側に配置することで遮光部材５２の貫通孔５２ａを覆っている。このように結像光学素子５を構成する構成要素のうちレンズアレイ５１ａを最も物体側に位置させて貫通孔５２ａへの塵埃の侵入を阻止しているため、貫通孔５２ａ内に塵埃が滞留するのを確実に解消し、原稿ＯＢの正立等倍像を高品質で形成することができ、優れた読み取り精度を有するＣＩＳモジュール（画像読取装置）が得られる。
【００２９】
また、本実施形態では、物体側のみならず、読取部側についてもレンズアレイ５１ｃを配置して貫通孔５３ａへの塵埃の侵入を防止している。すなわち、結像光学素子５を構成する構成要素のうちレンズアレイ５１ｃを最も読取部側に位置させて貫通孔５３ａへの塵埃の侵入を阻止しているため、貫通孔５３ａ内に塵埃が滞留するのを確実に解消し、原稿ＯＢの正立等倍像をさらに高品質で形成することができ、ＣＩＳモジュールの読み取り精度をさらに高めることができる。
【００３０】
また、本実施形態では、上記のように結像光学素子５の最外部に位置するレンズアレイ５１ａの物体側平面５１ａｓおよびレンズアレイ５１ｃの読取部側平面５１ｃｓに対し、防塵処理を施して塵埃がこれらの最外部平面に付着するのを防止しているため、レンズアレイ５１ａ、５１ｃへの塵埃の残存量を抑制することができ、塵埃による影響を低下させることができる。
【００３１】
さらに、レンズアレイ５１ａの物体側平面５１ａｓおよびレンズアレイ５１ｃの読取部側平面５１ｃｓに付着した塵埃を積極的に除去するために、次のような手段を追加し、適切な除去タイミングで塵埃除去を行うように構成してもよい。例えばＸ方向における最大読取範囲より長く延びるブラシや布などの清掃手段をセットしておき、当該清掃手段により上記平面５１ａｓ、５１ｃｓを清掃可能に構成してもよい。また、ファンなどにより装置外部から空気を取り込むとともに当該空気を上記平面５１ａｓ、５１ｃｓに向けて吹き付けて塵埃を除去する吹付手段を設けてもよい。さらに、モーターやピエゾ素子などの振動付与手段を設け、当該振動付与手段によりレンズアレイ５１ａやレンズアレイ５１ｃに対して振動を与えてもよい。
【００３２】
なお、本発明は上記実施形態に限定されるものではなく、その趣旨を逸脱しない限りにおいて上述したものに対して種々の変更を加えることが可能である。例えば、上記実施形態では、３枚のレンズアレイ５１ａ〜５１ｃにより結像光学系５１を構成しているが、１枚のレンズアレイ、２枚のレンズアレイ、あるいは４枚以上のレンズアレイにより結像光学系５１を構成する結像光学素子５に対して本発明を適用してもよい。また、各レンズアレイに形成するレンズ形状は任意であり、例えばレンズ面ＬＳ１、ＬＳ４が同一形状となるように構成してもよい。
【００３３】
また、遮光部材の個数についても１個以上であれば任意であり、結像光学系を構成する１枚以上のレンズアレイと、１個以上の遮光部材とを組み合わせて正立等倍像を形成する結像光学素子および当該結像光学素子を備える画像読取装置全般に対し、本発明を適用することができる。例えば図５に示すように、１個の遮光部材５２と、２枚のレンズアレイ５１ａ、５１ｂとを組み合わせて結像光学素子５を構成する場合、遮光部材５２の物体側に両凸レンズ５１２を有する第１レンズアレイ５１ａを配置して貫通孔５２ａの物体側開口を覆うとともに、遮光部材５２の物体側と反対の側（同図の下側）に第２レンズアレイ５１ｂを配置して貫通孔５２ａの物体側と反対の側の開口を覆うように構成してもよく、上記第１実施形態と同様に、貫通孔５２ａに塵埃が侵入するのを効果的に防止することができる。また、第１実施形態と同様に、図５に示す第２実施形態においても、結像光学素子５の最外部となる第１レンズアレイ５１ａの物体側の面および第２レンズアレイ５１ｂの物体側と反対の側の面に防塵処理を施すのが望ましい。
【００３４】
また、上記実施形態では、各レンズアレイ５１ａ〜５１ｃにおいてレンズ５１２をＸ方向に一列で配置するとともにするとともに各遮光部材５２、５３において貫通孔をＸ方向に一列で配置した結像光学素子５に対して本発明を適用しているが、レンズ５１２および貫通孔を複数列で配置したＣＩＳモジュール（結像光学素子）に対しても適用可能である。
【００３５】
また、上記実施形態では、ＣＩＳモジュール１に光源部３を搭載して原稿ＯＢで反射した光を結像光学素子５に入射させていた。しかしながら、ＣＩＳモジュール１（の結像光学素子５）と原稿を挟んでＣＩＳモジュール１（の結像光学素子５）に対向する側に光源部を配置して、光源部から射出されてフィルムなどの原稿を透過した光を結像光学素子５に入射させる構成とすることもできる。
【００３６】
さらに、結像光学素子５の最外層に対し、ＡＲ（アンチリフレクション）処理を施してもよく、これによって空気との界面での反射を抑制することができる。このＡＲ処理としては、例えば無機材料などのアンチリフレクション材料からなる反射防止膜を蒸着法やスパッタリング法等の薄膜形成法にて成膜する処理がある。また、レンズアレイの屈折率は例えば１．５程度であるため、空気との中間の屈折率、例えば１．３〜１．４の屈折率を有する材料を結像光学素子５の最外層に塗布してＡＲ層を設けてもよい。
【符号の説明】
【００３７】
１…ＣＩＳモジュール（画像読取装置）、  ３…光源部、  ３１…ライトガイド、  ３２…先端部、  ５…結像光学素子、  ７…読取部、  ５１…結像光学系、  ５１ａ…（第１）レンズアレイ、  ５１ｂ…（第（Ｎ−１））レンズアレイ、  ５１ｃ…（第Ｎ）レンズアレイ、  ５２…（第１）遮光部材、  ５２ａ…（第１）貫通孔、  ５３…（第２）遮光部材、  ５３ａ…（第２）貫通孔、５１２…レンズ、  ＯＢ…原稿（物体）
【図１】
2013025019.tif 000003
【図２】
2013025019.tif 000004
【図３】
2013025019.tif 000005
【図４】
2013025019.tif 000006
【図５】
2013025019.tif 000007